(57)【要約】本発明は携帯電話ディスプレーモードを認識して、画面の大きさが拡張される場合、現在表示されるモバイルバージョンのウェブページに対応するＰＣバージョンのウェブページに画面の表示を転換する携帯電話のインターネットブラウジングモード制御方法及びシステムに関する。本発明による携帯電話のインターネットブラウジングモード制御方法は、携帯電話で現在ディスプレーモードを基本画面モードに認識する段階と、基本画面モードでモバイルバージョンのウェブページが表示されるモバイル用モードを認識する段階と、基本画面モードからモバイル用モードにインターネットを行い、途中で拡張画面モードにディスプレーが拡張されることを認識する段階と、当該モバイルバージョンのウェブページに対応するＰＣバージョンのウェブページのアドレスを検索する段階と、検索されたアドレスを利用して、対応するＰＣバージョンのウェブページを受信する段階と、ＰＣバージョンのウェブページを拡張画面モードで表示する段階とを含む。【選択図】図７
2013539637.tif 000002
【特許請求の範囲】
【請求項１】
携帯電話の基本画面でモバイルバージョンのウェブページが表示されてから拡張画面にディスプレーが拡張される場合、拡張画面にＰＣ（Ｐｅｒｓｏｎａｌ  Ｃｏｍｐｕｔｅｒ）バージョンのウェブページが表示されるように自動に表示転換される携帯電話のインターネットブラウジングモード制御方法において、
携帯電話で現在ディスプレーモードを基本画面モードに認識する段階（Ｓ２１）と、
前記携帯電話の基本画面モードでモバイルバージョンのウェブページが表示されるモバイル用モードを認識する段階（Ｓ２２）と、
基本画面モードからモバイル用モードにインターネットを行い、途中で使用者の操作によって、拡張画面モードにディスプレーが拡張されることを認識する段階（Ｓ２３）と、
当該モバイルバージョンのウェブページに対応するＰＣバージョンのウェブページのアドレスを検索する段階（Ｓ２４）と、
検索されたアドレスを利用して、対応するＰＣバージョンのウェブページを受信する段階（Ｓ２５）と、
受信されたＰＣバージョンのウェブページを拡張画面モードで表示する段階（Ｓ２６）とを含むことを特徴とする携帯電話ディスプレー認識による携帯電話のインターネットブラウジングモード制御方法。
【請求項２】
前記携帯電話は、第１ディスプレー装置のみに表示される場合には、基本画面モードで表示され、第１ディスプレー装置及び第２ディスプレー装置が一緒に表示されて全体画面で表示される場合には、拡張画面モードで表示されるデュアルディスプレー携帯電話と、
ディスプレー装置が折り畳まれて、基本画面モードで折り畳まれた画面が表示されず、折り畳まれた画面が開かれて全体画面で表示される場合、拡張画面モードで表示されるフレキシブルディスプレー携帯電話と、
基本画面モードでは携帯電話のローカルディスプレー装置で表示され、外部画面表示装置が接続されると、画面映像信号を外部画面表示装置に出力して、拡張画面モードで表示される携帯電話との中の１つであることを特徴とする請求項１に記載の携帯電話のインターネットブラウジングモード制御方法。
【請求項３】
段階（Ｓ２４）は、
モバイルバージョンのウェブページのソースコードを分析して、「ＰＣバージョン」ボタンにリンクされたＰＣバージョンのウェブページのアドレスを抽出する段階（Ｓ２４１）と、
携帯電話が現在画面に表示しているモバイルバージョンのウェブページのアドレスを外部のサーバーに転送し、外部サーバーからＰＣバージョンのウェブページのアドレスを受信する段階（Ｓ２４２）と、の中の１つの段階を利用して、ＰＣバージョンのウェブページのアドレスを検索することを特徴とする請求項１または請求項２に記載の携帯電話のインターネットブラウジングモード制御方法。
【請求項４】
前記外部サーバーは、携帯電話からモバイルバージョンのウェブページのアドレスを受信して、対応するＰＣバージョンのウェブページのアドレスを応答するサーバーで、モバイルバージョンのウェブページのアドレス及び前記アドレスに対応するＰＣバージョンのウェブページのアドレスが保存されたＤＢを保有し、携帯電話から受信したモバイルバージョンのウェブページのアドレスで前記ＤＢで照合されるＰＣバージョンのウェブページのアドレスを携帯電話に提供する段階と、
携帯電話からモバイルバージョンのウェブページのアドレス及び関連メタ情報を受信して、受信されたウェブページのアドレス及びメタ（ｍｅｔａ）情報で当該コンテンツ提供サーバーにリアルタイムで検索を要請して、検索された検索結果であるＰＣバージョンのウェブページのアドレスを携帯電話に提供する段階との中の少なくとも１つの段階を利用して、携帯電話が外部サーバーからＰＣバージョンのウェブページのアドレスを受信することを特徴とする請求項３に記載の携帯電話のインターネットブラウジングモード制御方法。
【請求項５】
前記メタ情報は、画面に表示されるコンテンツ関連情報として、コンテンツＩＤ、タイトル、作成時刻の中の１つ以上を含むことを特徴とする請求項４に記載の携帯電話のインターネットブラウジングモード制御方法。
【請求項６】
前記携帯電話は、自動画面転換によってＰＣバージョンのウェブページを画面に表示したり、または画面転換を使用者に案内して、使用者の確認ボタンによってＰＣバージョンのウェブページを画面に表示することを特徴とする請求項５に記載の携帯電話のインターネットブラウジングモード制御方法。
【請求項７】
前記携帯電話は、拡張画面モードでＰＣバージョンのウェブページが表示される状態で、ディスプレーモードが基本画面モードに縮小される場合、モバイルバージョンのウェブページが表示されるモバイル用モードに自動に表示転換されたり、使用者に案内した後、使用者の確認ボタンによって前記モバイル用モードに表示転換されることを特徴とする請求項６に記載の携帯電話のインターネットブラウジングモード制御方法。
【請求項８】
携帯電話の基本画面でモバイルバージョンのウェブページが表示され、途中で拡張画面にディスプレーが拡張される場合、拡張画面にＰＣ（Ｐｅｒｓｏｎａｌ  Ｃｏｍｐｕｔｅｒ）バージョンのウェブページが表示されるように自動に表示転換される携帯電話のインターネットブラウジングモード制御システムにおいて、
携帯電話にアプリケーションが設置され、前記アプリケーションは、
携帯電話で現在のディスプレーモードを基本画面モードに認識するモジュールと、
前記携帯電話の基本画面モードでモバイルバージョンのウェブページが表示されるモバイル用モードを認識するモジュールと、
基本画面モードからモバイル用モードでインターネットを行い、途中で使用者の操作によって拡張画面モードにディスプレーが拡張されることを認識するモジュールと、
当該モバイルバージョンのウェブページに対応するＰＣバージョンのウェブページのアドレスを検索するモジュールと、
検索されたアドレスを利用して、対応するＰＣバージョンのウェブページを受信するモジュールと、
受信されたＰＣバージョンのウェブページを拡張画面モードで表示するモジュールとを含むことを特徴とする携帯電話のインターネットブラウジングモード制御システム。
【発明の詳細な説明】
【技術分野】
【０００１】
本発明は携帯電話のインターネットブラウザー画面でモバイルバージョンのウェブページを表示している時、携帯電話の画面が最大画面の大きさに拡張されるか、または外部ディスプレー装置の接続で拡張されると、ＰＣバージョンのウェブページを表示する画面に自動転換される携帯電話のインターネットブラウジングモード制御方法及びシステムに関する。
【背景技術】
【０００２】
本出願は２０１０年８月３０日に出願された韓国特許出願第１０−２０１０−００８４０００号に基づいた優先権を主張し、当該出願の明細書及び図面に開示された全ての内容は本出願に援用される。
【０００３】
携帯電話では移動通信網またはＷｉ−Ｆｉを通じて無線インターネットが可能である。携帯電話でのインターネットウェブサービスは、そのディスプレー装置の大きさの制約によって、ＰＣバージョンのウェブページとは別途にモバイルバージョンのウェブページが同時にサービスされている。
【０００４】
例えば、ネイバーホームページの場合、ＰＣバージョンのウェブページのアドレスは「ｗｗｗ．ｎａｖｅｒ．ｃｏｍ」で、モバイルバージョンのウェブページのアドレスは「ｍ．ｎａｖｅｒ．ｃｏｍ」である。ＰＣバージョンのウェブページのアドレスでは全体コンテンツがそのまま表示されるが、モバイルバージョンのウェブページではＰＣバージョンのウェブページの全体または一部コンテンツがアイコン及びテキストを中心として要約されて表示されている。そして、モバイルバージョンのウェブページでは、下端に「ＰＣバージョン」のボタンを表示して、使用者によって選択される場合、携帯電話が当該モバイルバージョンのウェブページに対応するＰＣバージョンのウェブページを受信して再表示する。通常、携帯電話の使用者は「お気に入り」にモバイルバージョンのウェブページのアドレスを保存している。即ち、使用者は一旦モバイルバージョンのウェブページモードでウェブブラウジングしてから気になるコンテンツを見つけると、「ＰＣバージョン」ボタンを選択して、ＰＣバージョンのウェブページモードでウェブブラウジングする。
【０００５】
上記携帯電話のインターネット環境で、使用者は一旦モバイルバージョンのウェブページでコンテンツをブラウジングし、より詳細な情報が必要である場合、画面下端に移動して、「ＰＣバージョン」ボタンを選択するか、またはアドレスバーにＰＣバージョンのウェブページのアドレスを入力して、ＰＣバージョンのウェブページでコンテンツを検索しなければならないという不便がある。
【０００６】
特に、モバイルバージョンのウェブページは携帯電話のディスプレーの大きさの制約から、原本ウェブページの内容を要約したものであるので、気に入る情報を検索及び照合する際には非常に有用であるが、情報利用に制限があるという問題がある。従って、携帯電話の使用者は初めからＰＣバージョンのウェブページのみに利用したりする。
【先行技術文献】
【特許文献】
【０００７】
【特許文献１】韓国特許出願第１０−２０１０−００８４０００号
【発明の概要】
【発明が解決しようとする課題】
【０００８】
本発明は上記問題点を解決するためのもので、携帯電話が基本設定された画面大きさでモバイルバージョンのウェブページを表示している場合、当該画面の大きさがデュアルディスプレーまたは拡張ディスプレーに拡張される場合、当該画面で自動にＰＣバージョンのウェブページに表示転換される携帯電話のインターネットブラウジングモード制御方法及びそのインターネットブラウジングモード制御システムを提供することを目的とする。
【課題を解決するための手段】
【０００９】
上記のような目的を達するための本発明による携帯電話ディスプレー認識による携帯電話のインターネットブラウジングモード制御方法は、携帯電話の基本画面でモバイルバージョンのウェブページが表示されてから拡張画面にディスプレーが拡張される場合、拡張画面でＰＣ（Personal Computer）バージョンのウェブページが表示されるように自動に表示転換する携帯電話のインターネットブラウジングモード制御方法において、携帯電話で現在のディスプレーモードを基本画面モードに認識する段階（Ｓ２１）と、上記携帯電話の基本画面モードでモバイルバージョンのウェブページが表示されるモバイル用モードを認識する段階（Ｓ２２）と、基本画面モードからモバイル用モードでインターネットを行い、途中で使用者の操作によって、拡張画面モードにディスプレーが拡張されることを認識する段階（Ｓ２３）と、当該モバイルバージョンのウェブページに対応するＰＣバージョンのウェブページのアドレスを検索する段階（Ｓ２４）と、検索されたアドレスを利用して、対応するＰＣバージョンのウェブページを受信する段階（Ｓ２５）と、受信されたＰＣバージョンのウェブページを拡張画面モードで表示する段階（Ｓ２６）とを含む。
【００１０】
また、上記携帯電話は、第１ディスプレー装置のみに表示される場合には、基本画面モードで表示され、第１ディスプレー装置及び第２ディスプレー装置が一緒に表示されて、全体画面で表示される場合には、拡張画面モードで表示されるデュアルディスプレー携帯電話と、ディスプレー装置が折り畳まれて、基本画面モードで折り畳まれた画面が表示されず、折り畳まれた画面が開かれて全体画面で表示される場合、拡張画面モードで表示されるフレキシブルディスプレー携帯電話と、基本画面モードでは携帯電話のローカルディスプレー装置で表示され、外部画面表示装置が接続されると、画面映像信号を外部画面表示装置に出力して、拡張画面モードで表示される携帯電話との中の１つであることができる。
【００１１】
また、段階（Ｓ２４）は、モバイルバージョンのウェブページのソースコードを分析して、「ＰＣバージョン」ボタンにリンクされたＰＣバージョンのウェブページのアドレスを抽出する段階（Ｓ２４１）と、携帯電話が現在画面に表示しているモバイルバージョンのウェブページのアドレスを外部のサーバーに転送し、外部サーバーからＰＣバージョンのウェブページのアドレスを受信する段階（Ｓ２４２）との中の１つの段階を利用して、ＰＣバージョンのウェブページのアドレスを検索する。
【００１２】
本発明の好ましい特徴によれば、上記外部サーバーは、携帯電話からモバイルバージョンのウェブページのアドレスを受信して、対応するＰＣバージョンのウェブページのアドレスを応答するサーバーで、モバイルバージョンのウェブページのアドレス及び上記アドレスに対応するＰＣバージョンのウェブページのアドレスが保存されたデータベース（ＤＢ）を保有して、携帯電話から転送されたモバイルバージョンのウェブページのアドレスで上記データベース（ＤＢ）で照合されるＰＣバージョンのウェブページのアドレスを携帯電話に提供する段階と、携帯電話からモバイルバージョンのウェブページのアドレス及び関連メタ情報を受信し、受信されたウェブページのアドレス及びメタ（ｍｅｔａ）情報で当該コンテンツ提供サーバーにリアルタイム検索を要請して、検索された検索結果であるＰＣバージョンのウェブページのアドレスを携帯電話に提供する段階との中の少なくとも１つの段階を利用して携帯電話が外部サーバーからＰＣバージョンのウェブページのアドレスを受信する。
【００１３】
また、上記メタ情報は、画面に表示されるコンテンツ関連情報として、コンテンツＩＤ、タイトル、作成時刻の中の１つ以上を含む。
【００１４】
また、上記携帯電話は、自動画面の転換によって、ＰＣバージョンのウェブページを画面に表示したり、または画面転換を使用者に案内して、使用者の確認ボタンによってＰＣバージョンのウェブページを画面に表示する。
【００１５】
好ましくは、上記携帯電話は、拡張画面モードでＰＣバージョンのウェブページが表示される状態で、ディスプレーモードが基本画面モードに縮小される場合、モバイルバージョンのウェブページが表示されるモバイル用モードに自動に表示転換されたり、使用者に案内した後、使用者の確認ボタンによって上記モバイル用モードに表示が転換される。
【００１６】
一方、本発明による携帯電話のインターネットブラウジングモード制御システムは、携帯電話の基本画面でモバイルバージョンのウェブページが表示され、途中で拡張画面にディスプレーが拡張される場合、拡張画面でＰＣ（Personal Computer）バージョンのウェブページが表示されるように自動に表示が転換される携帯電話のインターネットブラウジングモード制御システムにおいて、携帯電話にアプリケーションが設置され、上記アプリケーションは、携帯電話で現在のディスプレーモードを基本画面モードに認識するモジュールと、上記携帯電話の基本画面モードでモバイルバージョンのウェブページが表示されるモバイル用モードを認識するモジュールと、基本画面モードからモバイル用モードでインターネットを行い、途中で使用者の操作によって、拡張画面モードにディスプレーが拡張されることを認識するモジュールと、当該モバイルバージョンのウェブページに対応するＰＣバージョンのウェブページのアドレスを検索するモジュールと、検索されたアドレスを利用して、対応するＰＣバージョンのウェブページを受信するモジュールと、受信されたＰＣバージョンのウェブページを拡張画面モードで表示するモジュールとを含む。
【発明の効果】
【００１７】
本発明によれば、携帯電話で主に表示されるモバイルバージョンのウェブページで、画面の大きさが基本画面モードから拡張画面モードに拡張される場合、自動または使用者の確認によって、モバイルバージョンのウェブページに対応するＰＣバージョンのウェブページを表示することによって、使用者の便利性を増大させる効果を奏する。
【図面の簡単な説明】
【００１８】
本明細書に添付される次の図面は本発明の好ましい実施例を例示するもので、後述した発明の詳細な説明とともに本発明の技術思想をさらに理解させる役割を果たす。本発明は図面に記載された事項のみに限定されて解釈されてはならない。
【図１】本発明の一実施例による携帯電話のインターネットブラウジング制御システムでインターネットブラウジングモードの画面転換の例示図である。
【図２】本発明の一実施例によるインターネットブラウジングモードの分類構成図である。
【図３】本発明の一実施例による拡張画面モードを支援する携帯電話の例示図である。
【図４】本発明の一実施例による携帯電話のインターネットブラウジング制御システムでアドレスサーバーの活用例示図である。
【図５】本発明の一実施例による携帯電話のインターネットブラウジング制御システムでアドレスサーバーの活用例示図である。
【図６】本発明の一実施例による携帯電話の内部構造図である。
【図７】本発明の一実施例による携帯電話のインターネットブラウジングモード制御方法の概略的フローチャートである。
【発明を実施するための形態】
【００１９】
以下、添付図面を参照して本発明の好ましい実施例の構成を詳細に説明する。
【００２０】
＜１．システムの構成＞
図１は本発明の一実施例による携帯電話のインターネットブラウジング制御システムでインターネットブラウジングモードの画面転換を例示する。
【００２１】
本発明の一実施例によるインターネットブラウジング制御システムは携帯電話２を含んで構成される。
【００２２】
携帯電話２でモバイルバージョンのウェブページのアドレスに接続すると、左側に示した図のように、画面の大きさが小さい携帯電話のために、モバイル専用ウェブページを提供する。モバイルバージョンのウェブページはアイコン基盤で既存ＰＣバージョンのウェブページの一部コンテンツを提供する。
【００２３】
普通のＰＣバージョンのウェブページは「ｗｗｗ．サイトアドレス．ｃｏｍ」または「ｗｗｗ．サイトアドレス．ｃｏ．ｋｒ」のアドレス形式を有し、モバイルバージョンのウェブページはモバイル用を区分するために、モバイル（ｍｏｂｉｌｅ）の略字である「ｍ」を利用して、「ｍ．サイトアドレス．ｃｏｍ」または「ｍ．サイトアドレス．ｃｏ．ｋｒ」のアドレス形式を有する。
【００２４】
使用者の携帯電話２にモバイルバージョンのウェブページが表示されると、当該ウェブページの下端には「ＰＣバージョン」１００ボタンが表示される。使用者が当該モバイルバージョンのコンテンツをＰＣバージョンで見たい場合、「ＰＣバージョン」１００ボタンを押す。「ＰＣバージョン」１００ボタンが選択されると、右側に示した携帯電話２の画面のように、一般のコンピュータ用端末に表示されるＰＣバージョンのウェブページが表示される。
【００２５】
本発明の一実施例によるインターネットブラウジング制御システムでは、携帯電話２の使用者が毎度モバイルバージョンのウェブページの下端にドラッグして、「ＰＣバージョン」１００を押さなくても、携帯電話２の画面モードを感知して、「基本画面」から「拡張画面」への転換を感知すると、自動にＰＣバージョンのウェブページを表示する画面に転換する。
【００２６】
図２は本発明の一実施例によるインターネットブラウジングモードの分類構成を示し、図３は本発明の一実施例による拡張画面モードを支援する携帯電話２を示す。
【００２７】
まず、図２によれば、本発明の一実施例によるインターネットブラウジングモードは、ハードウェア（ＨＷ：ｈａｒｄｗａｒｅ）画面モードで、「ディスプレーモード」とウェブページで区分した「ウェブページモード」とで構成される。そして、上記「ディスプレーモード」は「基本画面モード」と「拡張画面モード」とで構成される。上記「ウェブページモード」は図１に示した左側の図のように「モバイルバージョンモード」と、右側の図のように「ＰＣバージョンモード」とで構成される。
【００２８】
次に、図３を参照すると、図３（ａ）は通常時に携帯電話２の上端フォルダが閉まっている状態では、第１ディスプレー２０１が「基本画面モード」で作動する。上端フォルダがスライディングすると、下端フォルダが現われて、第２ディスプレー２０２が露出される。即ち、図３（ａ）は第１ディスプレー２０１と第２ディスプレーとの２つの画面表示手段を有するデュアルディスプレー（dual display）携帯電話２に対応する。ここで、「基本画面モード」で第１ディスプレー２０１を通じてモバイルバージョンのウェブページが表示されている状態で、使用者が上端フォルダを上に押すと、第２ディスプレー２が現われて、「拡張画面モード」に転換され、同時に第１ディスプレー２０１と第２ディスプレー２０２が１つの全体画面を形成しながら、ＰＣバージョンのウェブページが表示される。
【００２９】
図３（ｂ）はフレキシブルディスプレー（flexible display）携帯電話２に対応する。この携帯電話２は１つの第１ディスプレー２０１を有し、携帯電話２のディスプレー画面が折り畳まれることができる性質を有する。フォルダが閉じられた「基本画面モード」では画面の半分部分がフォルダの外面で外部に露出され、残り半分は折り畳まれて、フォルダの間に位置する。そして、フォルダが上に移動して開かれると、折り畳まれた状態で隠された第１ディスプレー２０１の残り半分が開かれながら外部に露出されて、「拡張画面モード」状態に転換される。
【００３０】
図３（ｃ）は携帯電話２がケーブルで外部コンピュータ端末またはディスプレー装置と連結され、連結されたディスプレー装置を携帯電話２の外部周辺装置で認識して、映像情報を表示する。携帯電話２の映像情報の外部への転送は有線ケーブルの接続で示したが、必ずこれで限定されるのではなく、無線通信を利用して映像情報を送ることも可能である。例えば、携帯電話とコンピュータ端末の本体が有線または無線で連結されて、携帯電話から送った映像情報がコンピュータ端末のモニターで表示される。または、携帯電話とモニター（またはＴＶ）が有線または無線で連結されて、携帯電話から送った映像情報が当該モニターで表示される。携帯電話２の画面に出力される状態は「基本画面モード」で、外部モニターに出力される状態は「拡張画面モード」である。
【００３１】
上記図３の３種類の携帯電話の例示環境で、「基本画面モード」から「モバイルバージョンモード」に画面が出力される状態で、「拡張画面モード」に転換されると、自動に「ＰＣバージョンモード」のＰＣバージョンのウェブページが出力される。勿論、図３の３種類の携帯電話２の例示は説明の便宜のためのもので、本発明の携帯電話２の種類を限定するのではなく、多様な携帯電話２の例示があり得ることは自明である。
【００３２】
本発明で、「モバイルバージョンモード」のモバイルバージョンのウェブページが表示される状態で、「ＰＣバージョンモード」に転換されて、ＰＣバージョンのウェブページが表示されるのは、当該モバイルバージョンのウェブページのソースに含まれる「ＰＣバージョン」１００ボタンに割り当てられたリンクアドレスを利用して、ＰＣバージョンのウェブページのアドレスに接続して対応するウェブページを受信して画面に表示する。ここで、「ＰＣバージョン」１００ボタンが選択されたというイベントを自動に発生させることも可能である。即ち、「モバイルバージョンモード」で特定ＵＲＬ、コンテンツなどの内容が表示されている状態で、「ＰＣバージョンモード」に転換されると、当該ＵＲＬ、コンテンツ内容に符合するＰＣバージョンの画面が表示される。
【００３３】
図４及び図５は本発明の一実施例による携帯電話２のインターネットブラウジング制御システムでアドレスサーバー３がさらに追加される構成を示す。
【００３４】
上記の図１〜図３の説明では、携帯電話２で構成されたインターネットブラウジング制御システムが構築されることを例示した。本発明では、携帯電話２がモバイルバージョンのウェブページソースを開いて、ＰＣバージョン１００ボタンに割り当てられたリンクアドレスを利用したり、またはＰＣバージョン１００ボタンが選択されたというイベントを発生させて、対応するＰＣバージョンのウェブページを受信して、画面表示することを基本構成とする。
【００３５】
一方、図４及び図５は本発明の他の実施例の構成例示で、上記インターネットブラウジング制御システムにアドレスサーバー３がさらに追加されて構成される。携帯電話２が「基本画面モード」から「モバイルバージョンモード」に画面を表示している状態で、「拡張画面モード」への転換を感知すると、アドレスサーバー３にモバイルバージョンのウェブページのアドレスを転送して、対応するＰＣバージョンのウェブページのアドレスを受信する。
【００３６】
図４によれば、アドレスサーバー３が携帯電話２からモバイルバージョンのウェブページのアドレスを受信して、アドレスＤＢ３００を照合して、対応するＰＣバージョンのウェブページのアドレスを携帯電話２に提供する。
【００３７】
図５によれば、アドレスサーバー３が携帯電話２からモバイルバージョンのウェブページのアドレスとメタ情報を受信すると、受信されたアドレスとメタ情報でコンテンツサーバー４を相手としてリアルタイムで検索を行い、コンテンツサーバーからＰＣバージョンのウェブページのアドレスを応答結果として受信した後、携帯電話２に提供する。ここで、メタ情報は当該モバイルバージョンのウェブページ（コンテンツ）のタイトル、ファイルのサイズ、ファイルの日時などの関連情報を含む。そして、コンテンツサーバー４は当該モバイルバージョン及びＰＣバージョンのウェブページを提供するサーバーである。
【００３８】
従って、上記図１〜図５の携帯電話２がモバイルバージョンからＰＣバージョンに転換された後、対応するアドレスの変更によって、画面内容の同一性（関連性）が維持されることは自明である。
【００３９】
図６は本発明の一実施例による携帯電話２の内部構造を示す。
【００４０】
本発明の一実施例による携帯電話２は、自動にＰＣバージョンのウェブページのアドレスを獲得し、獲得されたウェブページのアドレスに接続して、受信されたＰＣバージョンのウェブページを拡張された画面に表示することを制御するアプリケーション２００がインストールされている。アプリケーション２００の配布主体は、サービス事業者サーバー、移動通信社ホームページまたは上記コンテンツサーバー４であることができる。
【００４１】
そして、上記アプリケーション２００は、携帯電話２の「基本画面モード」状態を認知して保存する基本モード認識モジュール２１と、「モバイルバージョンモード」状態を認知して保存するモバイルモード認識モジュール２２と、「基本画面モード」から「モバイルバージョンモード」に画面が表示されている状態で、「拡張画面モード」への転換を認知する拡張モード認識モジュール２３と、「拡張画面モード」を感知して、当該モバイルバージョンのウェブページに対応するＰＣバージョンのウェブページのアドレスを獲得するＰＣバージョンアドレス獲得モジュール２４と、獲得されたＰＣバージョンアドレスを利用して、当該ＰＣバージョンのウェブページを受信するＰＣバージョン受信モジュール２５と、モバイルバージョンのウェブページが表示された状態で受信されたＰＣバージョンのウェブページに画面表示を転換する画面表示転換モジュール２６とを含んで構成される。
【００４２】
以上のインターネットブラウジングモード制御システムを構成する個別構成要素の詳細な機能及び動作は後述するインターネットブラウジングモード制御方法を通じて説明する。
【００４３】
＜２．方法構成＞
本発明の一実施例によるインターネットブラウジングモード制御方法は、当該インターネットブラウジング制御システムの構築を通じて好ましく実現することができる。
【００４４】
図７は本発明の一実施例による携帯電話２のインターネットブラウジングモード制御方法の概略的順序を示す。
【００４５】
携帯電話２のアプリケーション２００では、基本モード認識モジュール２１が「基本画面モード」を認識し、認識されたディスプレーモード状態を保存する（Ｓ２１）。
【００４６】
そして、モバイルモード認識モジュール２２は、携帯電話２がモバイルバージョンのウェブページを表示する「モバイルバージョンモード」を認識し、認識されたウェブページモード状態を保存する（Ｓ２２）。
【００４７】
また、携帯電話２が「基本画面モード」から「モバイルバージョンモード」に表示される状態で、「拡張画面モード」に変更されると、拡張モード認識モジュール２２はこれを認知して、当該転換モードを保存する（Ｓ２３）。
【００４８】
好ましくは、本発明の「拡張画面モード」への転換を認識することは、図３に説明の便宜上例示された３種類の携帯電話２を通じて既に説明したように、第１ディスプレー２０１と第２ディスプレー２０２とを具備したデュアルディスプレー携帯電話、１つの第１ディスプレーが折り畳まれ、一部のみが外部に露出される状態で拡張される場合、隠された残り部分が露出されるフレキシブルディスプレー携帯電話及び携帯電話の画面で外部に接続されたディスプレー装置に映像情報を送って、画面に出力する携帯電話を利用する。
【００４９】
拡張モードが認知されると、ＰＣバージョンアドレス獲得モジュール２４は、現在画面に表示されたモバイルバージョンのウェブページに対応するＰＣバージョンのウェブページのアドレスを検索して獲得する（Ｓ２４）。
【００５０】
さらに好ましくは、上記ＰＣバージョンのウェブページのアドレス検索は、現在携帯電話２が表示しているモバイルバージョンのウェブページのソースコードを分析して、「ＰＣバージョン」１００ボタンにリンクされたＰＣバージョンのウェブページのアドレスを抽出する。また、「ＰＣバージョン」１００ボタンが選択されたというイベントを自動に発生させることができることを既に説明した。携帯電話２の内部でＰＣバージョンのウェブページのアドレスを検索することは本発明の基本構成である。
【００５１】
一方、代案の構成として、図４及び図５を通じて既に説明したように、アドレスサーバー３が携帯電話２からモバイルバージョンのウェブページのアドレスを受信し、アドレスサーバー３がアドレスＤＢ３００を検索したり、またはコンテンツサーバー４を相手としてリアルタイムで検索を行って、検索されるＰＣバージョンのウェブページのアドレスを獲得した後、携帯電話２に提供することができる。ここで、アドレスサーバー３がコンテンツサーバー４をリアルタイムで検索することは、携帯電話２からモバイルバージョンのウェブページのアドレス及び関連メタ情報（ウェブページ及びコンテンツの関連情報）を受信する。次に、アドレスサーバー３は受信されたウェブページのアドレス及びメタ（ｍｅｔａ）情報で当該コンテンツ提供サーバー４にリアルタイムで検索を要請して、検索された検索結果であるＰＣバージョンのウェブページのアドレスを携帯電話２に提供する。上記メタ情報は、例えば画面に表示されるコンテンツ関連情報として、コンテンツＩＤ、タイトル、作成時刻の中の１つ以上を含む。
【００５２】
ＰＣバージョンのウェブページのアドレスが獲得されると、ＰＣバージョン受信モジュール２５は獲得されたアドレスを利用して、対応するＰＣバージョンのウェブページを受信する（Ｓ２５）。
【００５３】
ウェブページが受信されると、当該携帯電話２の「拡張画面モード」から受信されたＰＣバージョンのウェブページを自動に表示する（Ｓ２６）。
【００５４】
一方、上記実施例では自動にＰＣバージョンの画面に転換することを説明したが、本発明の携帯電話２では画面の転換を画面に表示して使用者に案内し、使用者の確認ボタンの選択によって、ＰＣバージョンのウェブページを表示することも可能である。
【００５５】
また、上記携帯電話は、「拡張画面モード」でＰＣバージョンのウェブページが表示される状態で、ディスプレーモードが「基本画面モード」に縮小される場合、対応するモバイルバージョンのウェブページが表示される「モバイルバージョンモード」に回帰することができる。この自動回帰も自動表示転換または使用者の確認によって行われることは勿論である。
【００５６】
上述したように、本発明による携帯電話ディスプレー認識による携帯電話のインターネットブラウジングモード制御方法及びインターネットブラウジングモード制御システムの実施例が構成される。本発明は限定された実施例と図面によって説明されたが、これに限定されるのではなく、本発明が属する技術分野において通常の知識を有する者によって本発明の技術思想と特許の請求範囲の均等な範囲内で多様な修正及び変形が可能である。
【図１】
2013539637.tif 000003
【図２】
2013539637.tif 000004
【図３】
2013539637.tif 000005
【図４】
2013539637.tif 000006
【図５】
2013539637.tif 000007
【図６】
2013539637.tif 000008
【図７】
2013539637.tif 000009
【国際調査報告】
2013539637.tif 000010
2013539637.tif 000011
2013539637.tif 000012
2013539637.tif 000013